(57)【要約】【課題】現場内掲示板を工事期間中長期間に亘って、取り外したり取り付け直したりする作業を要することなく、且つ風雨に曝すことなく、簡易な構成によって建築施工現場に見やすい状態で容易に保持しておくことのできる玄関ドアの養生構造を提供する。【解決手段】住宅建築物の建て方の後、施主への引渡し前までの間、玄関に取り付けられた玄関ドア１１を養生する玄関ドアの養生構造１０において、玄関ドア１１の内側面１１ａ及び外側面１１ｂの略全体を覆って薄板状のシート材料からなる養生シート板１２が取り付けられており、玄関ドア１１の内側面１１ａを覆う養生シート板１２の表面には、現場内掲示板１３が設けられている。また、玄関ドア１１の外側面１１ｂを覆う養生シート板１２の表面には、装飾用及び／又は宣伝用のポスター部材１５が設けられている。【選択図】図１
2011196085.tif 000002
【特許請求の範囲】
【請求項１】
建物の建て方の後、施主への引渡し前までの間、玄関に取り付けられた玄関ドアを養生する玄関ドアの養生構造において、
前記玄関ドアの内側面及び外側面の略全体を覆って薄板状のシート材料からなる養生シート板が取り付けられており、前記玄関ドアの内側面を覆う前記養生シート板の表面には、現場内掲示板が設けられている玄関ドアの養生構造。
【請求項２】
前記玄関ドアの外側面を覆う前記養生シート板の表面には、装飾用及び／又は宣伝用のポスター部材が設けられている請求項１記載の玄関ドアの養生構造。
【発明の詳細な説明】
【技術分野】
【０００１】
本発明は、建物の建て方の後、施主への引渡し前までの間、玄関に取り付けられた玄関ドアを養生する玄関ドアの養生構造に関する。
【背景技術】
【０００２】
建物として例えば住宅建築物を建築する場合、工事中の建物の防犯等を目的として、建物の構造軸部を組み立てる建て方の後に、比較的早い段階で、工場等において予め製造された玄関ドアが玄関部分に取り付けられる。また玄関ドアは、製造された後にダンボール板等による養生シート板によって覆われた状態で、建築施工現場まで搬送されると共に、養生シート板によって養生されたままの状態で建物の玄関部分に取り付けられて、建物の建築工事中、傷ついたり損傷したりしないように防護される（例えば、特許文献１、特許文献２、特許文献３参照）。養生シート板は、建物を施主へ引き渡す直前に、玄関ドアから取り外されるようになっている。
【０００３】
したがって、養生シート板は、建物の建て方の後、建物を施主へ引き渡す前までの間、長期間に亘って玄関ドアを覆って取り付けられたままの状態となっている。
【先行技術文献】
【特許文献】
【０００４】
【特許文献１】特開平１１−８１６８８号公報
【特許文献２】特開２０００−１７７７８８号公報
【特許文献３】特開２００７−２４７３０４号公報
【発明の概要】
【発明が解決しようとする課題】
【０００５】
一方、建物の建築施工現場では、施工管理や安全管理のために、工事期間中、工程表や安全チェック項目やその他の各種の工事情報が表示された現場内掲示板が設置されるようになっている。このような現場内掲示板は、一般に、例えば建物の壁面に取り付けられたり、建物の外部に設けた支柱に支持させた状態で取り付けられることによって、作業員が見やすい場所に設置されるようになっている。
【０００６】
しかしながら、現場内掲示板を建物の壁面に取り付けた場合には、建物の壁面は、壁用軸組部材に支持させて壁下地用面材、防水シート、壁仕上用面材等を重ねて取り付けることによって形成されるものであるため、これらを重ね合わせる毎に、現場内掲示板をその都度取り外したり取り付け直したりする作業が必要になって手間がかかることになる。また現場内掲示板を建物の外部に設置した場合には、風雨に曝されることになると共に、工事が主として建物の内部での作業となった際には、作業員が工事情報を確認し難くなる。
【０００７】
本発明は、このような従来の課題に着目してなされたものであり、現場内掲示板を工事期間中長期間に亘って、取り外したり取り付け直したりする作業を要することなく、且つ風雨に曝すことなく、簡易な構成によって建築施工現場に見やすい状態で容易に保持しておくことのできる玄関ドアの養生構造を提供することを目的とする。
【課題を解決するための手段】
【０００８】
本発明は、建物の建て方の後、施主への引渡し前までの間、玄関に取り付けられた玄関ドアを養生する玄関ドアの養生構造において、前記玄関ドアの内側面及び外側面の略全体を覆って薄板状のシート材料からなる養生シート板が取り付けられており、前記玄関ドアの内側面を覆う前記養生シート板の表面には、現場内掲示板が設けられている玄関ドアの養生構造を提供することにより、上記目的を達成したものである。
【０００９】
また、本発明の玄関ドアの養生構造は、前記玄関ドアの外側面を覆う前記養生シート板の表面に、装飾用及び／又は宣伝用のポスター部材が設けられていることが好ましい。
【発明の効果】
【００１０】
本発明の玄関ドアの養生構造によれば、現場内掲示板を工事期間中長期間に亘って、取り外したり取り付け直したりする作業を要することなく、且つ風雨に曝すことなく、簡易な構成によって建築施工現場に見やすい状態で容易に保持しておくことができる。
【図面の簡単な説明】
【００１１】
【図１】本発明の好ましい一実施形態に係る玄関ドアの養生構造を説明する建物の内側から見た状態の正面図である。
【図２】本発明の好ましい一実施形態に係る玄関ドアの養生構造を説明する建物の外側から見た状態の正面図である。
【図３】本発明の好ましい一実施形態に係る玄関ドアの養生構造を玄関ドアを開いた状態で示す斜視図である。
【発明を実施するための形態】
【００１２】
本発明の好ましい一実施形態に係る玄関ドアの養生構造１０は、図１に示すように、例えば住宅建築物等の建物の建築施工現場において、施工管理や安全管理のために設置される工程表や安全チェック項目やその他の各種の工事情報が表示された現場内掲示板１３を、工事期間中、取り外したり取り付け直したりすることなく、且つ風雨に曝すことなく、作業員が見易い位置に容易に保持しておくことができるようにするために採用されたものである。建物の玄関ドア１１は、一般に、工場等において予め製造され、建築施工現場に搬入された後、工事中の防犯等を目的として、建物の建て方の後に比較的早い段階で玄関部分に取り付けられるようになっている。また建物の玄関ドア１１は、工事の最終段階まで長期間に亘って内側面１１ａ及び外側面１１ｂが養生シート板１２によって覆われたままの状態となっていて、工事期間中に傷ついたり損傷したりしないように防護されている。本実施形態では、このような玄関ドア１１を覆う養生シート板１２を有効利用して、現場内掲示板１３を、作業員が見易い位置に容易に保持しておくことができるようにするものである。
【００１３】
そして、本実施形態の玄関ドアの養生構造１０は、住宅建築物の建て方の後、施主への引渡し前までの間、玄関に取り付けられた玄関ドア１１を養生する養生構造において、玄関ドア１１の内側面１１ａ及び外側面１１ｂの略全体を覆って薄板状のシート材料からなる養生シート板１２が取り付けられており、玄関ドア１１の内側面１１ａを覆う養生シート板１２の表面には、現場内掲示板１３が設けられている。
【００１４】
本実施形態では、玄関ドア１１は、例えばスチール製のドアであり、工場等において所定の形状となるように形成されると共に、ドアクローザ１６、取手１７、蝶番１８等を取り付けて製造される。製造された玄関ドア１１は、例えばダンボール板からなる養生シート板１２等によって周囲を覆われた状態で、建築施工現場まで搬送され、玄関の開口部に取り付けたドア枠１４に蝶番１８を介して開閉可能に支持された状態で、住宅建築物の玄関部分に設置される。
【００１５】
また、玄関部分に設置された玄関ドア１１は、工事中に傷付いたり損傷したりしないように、これの内側面１１ａ及び外側面１１ｂに、ドアクローザ１６や取手１７等の部分を除く略全域を覆って、養生シート板１２が長期間取り付けられたままになっていて、玄関ドア１１を防護している。本実施形態では、玄関ドア１１の内側面１１ａを広い範囲で覆う養生シート板１２を有効利用して、現場内掲示板１３を設けることで、簡易な構成にもかかわらず、現場内掲示板１３を、作業員が見易い状態に長期間に亘って容易に保持できるようにする。
【００１６】
本実施形態では、現場内掲示板１３は、例えば薄板状のダンボールプラスチックからなり、玄関ドア１１の内側面１１ａに取り付けられた養生シート板１２の表面に納まる大きさの、縦長矩形形状を有している。この現場内掲示板１３には、工程表、安全標識、安全チェック項目や、その他の各種の工事情報が表示されている。また、施主の写真を貼り付ける欄やホワイトボード用の欄を設けておくこともできる。さらに、一覧票等の書類や伝票類等を保管しておくことが可能なクリアファイルを設けておくこともできる。現場内掲示板１３は、例えば接着剤を介して貼り付ける簡易な構成によって、工事中に脱落することがない安定した状態で、玄関ドア１１の内側面１１ａを覆う養生シート板１２に取り付けておくことができる。
【００１７】
また、本実施形態では、玄関ドア１１の外側面１１ｂを覆う養生シート板１２の表面には、図２に示すように、装飾用及び／又は宣伝用のポスター部材１５が設けられている。ポスター部材１５には、施工業者やハウスメーカーの表示、シンボルマーク、標語や標識等を適宜描いておくことができる。こらによって、玄関ドア１１の外側面１１ｂを広い範囲で覆って長期間取り付けられる養生シート板１２を有効利用して、建築される住宅建築物に係る施工業者やハウスメーカー等を外部に認知させることが可能になると共に、広告宣伝効果や建築施工現場の美観を向上させることが可能になる。ポスター部材１５は、例えば合成樹脂製のフィルム材料を用いて形成することができ、例えば接着剤を介して玄関ドア１１の外側面１１ｂを覆う養生シート板１２に容易に且つ強固に取り付けることができる。
【００１８】
そして、上述の構成を備える本実施形態の玄関ドアの養生構造１０によれば、現場内掲示板１３を工事期間中長期間に亘って、取り外したり取り付け直したりする作業を要することなく、且つ風雨に曝すことなく、簡易な構成によって建築施工現場に見やすい状態で容易に保持しておくことができる。
【００１９】
すなわち、本実施形態によれば、玄関ドア１１の内側面１１ａ及び外側面１１ｂの略全体を覆って取り付けられる養生シート板１２のうち、内側面１１ａを覆う養生シート板１２の表面に現場内掲示板１３が設けられているので、工事期間中、長期間に亘って取り付けられたままの状態になっている養生シート板１２を有効利用した簡易な構成によって、取り外したり取り付け直したりすることなく、且つ風雨に曝すことなく、現場内掲示板１３を容易に建築施工現場に設置した状態に保持しておくことが可能になる。また、玄関ドア１１が取り付けられた玄関部分は、作業員が作業のために建物の内部に出入りするための出入り口となっているので、玄関ドア１１の内側面１１ａは、作業員の目に留まりやすく、作業員が見やすい状態を容易に保持することが可能になる。
【００２０】
また、本実施形態によれば、例えば天候が穏やかな時には、図３に示すように、玄関ドア１１を開放したままの状態としておくことにより、作業員が建物の内側からのみならず外側からも、現場内掲示板１３を容易に視認することが可能になる。
【００２１】
なお、本発明は上記実施形態に限定されることなく種々の変更が可能である。例えば、玄関ドアの内側面及び外側面を覆う薄板状のシート材料からなる養生シート板は、ダンボール板の他、プラスチック板や厚紙板等であっても良い。また、現場内掲示板は、薄板状のダンボールプラスチックの他、シート材料やフィルム材料等を用いて形成することもでき、建築施工現場において養生シート板に取り付けることができる他、玄関ドアを製造する工場等において養生シート板に予め設けておくこともできる。現場内掲示板は、養生シート板に印刷等を施すことによって設けることもできる。さらに、玄関ドアの外側面を覆う養生シート板の表面に、装飾用及び／又は宣伝用のポスター部材を取り付ける必要は必ずしもなく、養生シート板の表面に、装飾用及び／又は宣伝用の印刷を施しておくこともできる。
【符号の説明】
【００２２】
１０  玄関ドアの養生構造
１１  玄関ドア
１１ａ  玄関ドアの内側面
１１ｂ  玄関ドアの外側面
１２  養生シート板
１３  現場内掲示板
１４  ドア枠
１５  ポスター部材
１６  ドアクローザ
１７  取手
１８  蝶番
【図１】
2011196085.tif 000003
【図２】
2011196085.tif 000004
【図３】
2011196085.tif 000005